(57)【要約】【課題】電柱等への、カラス等の鳥類の営巣を効果的に防止可能な営巣防止具を提供する。【解決手段】本発明の営巣防止具１は、被装着部１００の外周に取り付けられる装着部２と、前記装着部２の側面から外方に延びる腕部３と、前記腕部３の先端に回転可能に取り付けられる回転部２０と、を備える。営巣防止具１を一方の腕金１００に装着すると、２本の腕金１００間の隙間１０３にカラス等が巣を作ろうとしたとき、回転部２０が障害物となって営巣が阻害される。回転部２０は回転するので、カラス等に嫌悪感を与えるとともに、枝等を固定しようとしても、回転部２０が回転するので、枝等が落下し、営巣が困難となる。【選択図】図５
2018085939.tif 000002
【特許請求の範囲】
【請求項１】
被装着部の外周に取り付けられる装着部と、前記装着部の側面から外方に延びる腕部と、前記腕部の先端に回転可能に取り付けられる回転部と、を備える営巣防止具。
【請求項２】
前記回転部の外周には複数の突起部が設けられていること、
を特徴とする請求項１に記載の営巣防止具。
【請求項３】
前記腕部は伸縮可能であること、
を特徴とする請求項１又は２に記載の営巣防止具。
【請求項４】
前記装着部は、上板部と、前記上板部の対向する２辺から延びる第１側板部と第２側板部と、前記第１側板部から第２側板部側に延びる棒部材と、を備え、
前記第２側板部には前記棒部材を挿通可能な切欠きが設けられていること、
を特徴とする請求項１から３のいずれかに記載の営巣防止具。
【請求項５】
前記第１側板部の下端には把持部が設けられていること、
を特徴とする請求項４に記載の営巣防止具。
【発明の詳細な説明】
【技術分野】
【０００１】
本発明は、電柱等への、カラス等の鳥類の営巣を防止可能な営巣防止具を提供することを目的とする。
【背景技術】
【０００２】
春から夏にかけて、鳥類、特にカラスによる電柱への営巣が後をたたず、配電事故の未然防止に苦慮している。従来、営巣防止具として、鉛直方向に延びる棒状の幹体と、幹体に着脱可能に装着される基部から放射状に延びかつ基部から離反するにつれて下方に傾斜する複数の枝状部を有する枝体とを備える営巣防止具が、例えば特許文献１に開示されている。
【先行技術文献】
【特許文献】
【０００３】
【特許文献１】特願２０１４−１１７２６９号公報
【発明の概要】
【発明が解決しようとする課題】
【０００４】
しかし、このような営巣防止具を取り付けても、わずかなスペースに巣が作られたり、営巣防止具が、営巣用の枝等の固定用に利用されたりする場合もある。
【０００５】
本発明は、電柱等への、カラス等の鳥類の営巣を効果的に防止可能な営巣防止具を提供することを目的とする。
【課題を解決するための手段】
【０００６】
本発明の営巣防止具は、被装着部の外周に取り付けられる装着部と、前記装着部の側面から外方に延びる腕部と、前記腕部の先端に回転可能に取り付けられる回転部と、を備える。
【０００７】
前記回転部の外周には複数の突起部が設けられていることが好ましい。
【０００８】
前記腕部は伸縮可能であることが好ましい。
【０００９】
前記装着部は、上板部と、前記上板部の対向する２辺から延びる第１側板部と第２側板部と、前記第１側板部から第２側板部側に延びる棒部材と、を備え、前記第２側板部には前記棒部材を挿通可能な切欠きが設けられていることが好ましい。
【００１０】
前記第１側板部の下端には把持部が設けられていることが好ましい。
【発明の効果】
【００１１】
本発明によれば、電柱等への、カラス等の鳥類の営巣を効果的に防止可能な営巣防止具を提供することができる。
【図面の簡単な説明】
【００１２】
【図１】鉄塔の腕金１００に取り付けられた状態の営巣防止具１であり、腕金１００の先端側から水平に見た図である。
【図２】営巣防止具１の装着部２の部分の斜視図であり、（ａ）はロック状態、（ｂ）ロック解除状態を示す。
【図３】営巣防止具１の腕部３を含む部分の拡大断面図である。
【図４】回転部２０の斜視図である。
【図５】営巣防止具１の使用状態の一例を示した図である。
【図６】営巣防止具１の使用状態の他の例を示した図である。
【発明を実施するための形態】
【００１３】
以下、本発明の実施形態について説明する。
図１は、鉄塔の腕金１００に取り付けられた状態の営巣防止具１であり、腕金１００の先端側から水平に見た図である。なお、本明細書において、水平及び垂直という方向を示す文言を用いる。これは、営巣防止具１が鉄塔の腕金１００に取り付けられた状態において、水平及び垂直となる方向であり、図１における左右方向が水平方向、上下が垂直方向である。
【００１４】
（営巣防止具１の全体構成）
図示するように、営巣防止具１は、鉄塔の腕金１００の外周に装着される装着部２と、装着部２の側面から水平方向に延びる腕部３と、腕部３に回転可能に取り付けられた回転部２０とを備える。
【００１５】
（装着部２）
図２は営巣防止具１の装着部２の部分の斜視図であり、（ａ）はロック状態、（ｂ）ロック解除状態を示す。
装着部２は、下部が開放された断面コの字形状を有し、矩形の上板部４と、上板部４の対向する２辺から、上板部４に対して垂直下方に延びる矩形の第１側板部５ａと第２側板部５ｂとを備える。
上板部４の長さ（第１側板部５ａの内面と第２側板部５ｂの内面との間の距離）は、装着される腕金１００の水平方向の幅と略同様である。装着部２を腕金１００の外周に装着すると、装着部２の上板部４、第１側板部５ａ及び第２側板部５ｂによって、腕金１００の上面及び２側面が覆われる。
【００１６】
（第１側板部５ａ）
装着部２の第１側板部５ａは、垂直方向の長さが第２側板部５ｂより長い。その第２側板部５ｂよりも下方に延びる部分には、網目状に滑り止めの溝が設けられた把持部６が形成されている。
営巣防止具１の腕金１００への取付作業は、この把持部６を作業者が把持し、間接活線作業によって行うことができる。
【００１７】
（棒部材８）
第１側板部５ａにおける把持部６上方には、貫通孔７が形成されている。貫通孔７には、棒部材８が挿通されている。
棒部材８の両端には、ねじ部８ａ，８ｂが設けられている。一端側のねじ部８ａは、内側から外側に突き出すように第１側板部５ａの貫通孔７に挿入されている。突き出したねじ部８ａにナット９が螺合されている。
貫通孔７には棒部材８を挿入した状態で、棒部材８を第１側板部５ａに対して上下左右に傾けることができる遊び（隙間）が設けられている。
【００１８】
（固定板１０）
棒部材８の他端側のねじ部８ｂには、固定板１０が取り付けられている。固定板１０は、矩形部材の対向する２つの側辺部分が同一方向に折り曲げられて折曲部１１が形成された断面コの字形形部材である。
固定板１０にも、第１側板部５ａと同様に貫通孔１２が形成されている。その貫通孔１２に棒部材８のねじ部８ｂが設けられた他端が挿入され、固定板１０の外側に突き出したねじ部８ｂにナット１３が螺合されている。
２つの折曲部１１の内面（対向する面）の間隔は、第２側板部５ｂの幅と略同じであり、第２側板部５ｂを折曲部１１の間に挟むようにして固定板１０を第２側板部５ｂの外側に取り付けることができる。
【００１９】
（第２側板部５ｂ）
第２側板部５ｂの下方には、第２側板部５ｂの幅方向の中央から水平方向に延びる切欠き１４が形成されている。
切欠き１４が設けられている部分の、上板部４からの垂直方向距離は、第１側板部５ａの貫通孔７が設けられている部分の上板部４からの垂直方向距離と略同じである。
切欠き１４の垂直方向の幅は、棒部材８の径よりもわずかに大きく、棒部材８は、切欠き１４に沿ってスライド可能であり、棒部材８は切欠き１４から取り外したり、切欠き１４に係合させたりすることが可能である。棒部材８は切欠き１４に係合されると、水平に保持される。
【００２０】
（腕部３）
第１側板部５ａと第２側板部５ｂの外面からは、それぞれ、腕部３が水平方向に延びている。図３は営巣防止具１の腕部３を含む部分の拡大断面図である。図示するように、腕部３は、例えば２つの径の異なる筒部材３ａ、３ｂとを重ね合わせた部材で、２つの筒部材３ａ、３ｂの重なりの長さを調整することで、腕部３全体としての長さが調節可能となっている。
【００２１】
（回転部２０）
それぞれの腕部３の先端には、回転部２０が回転可能に取り付けられている。図４は回転部２０の斜視図である。図示するように回転部２０は、円環部１５と、円環部１５の外周から径方向外側に向かって延びる複数の突起部１６とを有する。突起部１６は、本実施形態では６つ均等な間隔で設けられているが、これに限定されない。数は６以上でも以下でもよく、また間隔も等間隔でなくても良い。
【００２２】
円環部１５の内周側には、腕部３が回転可能に挿通される腕部挿通部１７と、その腕部挿通部１７と円環部１５とを連結する連結部１８とが設けられている。連結部１８は腕部挿通部１７から円環部１５の内面に向かって放射状に延びる。なお、回転部２０の形状はこれに限らず、腕部３に対して回転可能であって、突起部１６を設けることが可能な形状であればよい。例えば、所定厚みの円板の中央に腕部挿通部１７を設け、円板の外周面に突起部１６を取り付ける等の他の形状であってもよい。
【００２３】
（装着方法）
腕金１００に装着する際、第２側板部５側のナット１３が緩められ、棒部材８が切欠き１４から外された図２（ｂ）に示す状態の装着部２を、腕金１００の外周に装着する。
そして、棒部材８の固定板１０が取り付けられている端部を図中、図２（ｂ）の矢印で示す方向に移動し、切欠き１４に挿入する。
次いで、図２（ａ）で示すように、固定板１０の折曲部１１の間に第２側板部５ｂを挟むようにして配置し、棒部材８のねじ部８ａをナット１３で締める．
これにより、図１に示すように装着部２は腕金１００に固定される。
【００２４】
（取外方法）
これと逆に、図２（ａ）で示す状態の装着部２を、腕金１００から取り外す際、第２側板部５側のナット１３を緩め、固定板１０を第２側板部５ｂから離間させる。そして、棒部材８を切欠き１４かに沿って移動させて、切り欠きの外に出す。
この状態で、装着部２を腕金１００が取り外す。
【００２５】
（使用形態１）
図５は、営巣防止具１の使用状態の一例を示した図である。
図示するように、腕金１００は、電柱１０１を挟むようにして２本平行に配置されている場合が多い。カラス等の鳥類は、このように配置された腕金１００と腕金１００との隙間１０３に巣を作る場合が多い。
そこで、本実施形態の営巣防止具１は、この腕金１００間の隙間１０３に、回転部２０の一方が配置されるように営巣防止具１を一方の腕金１００に装着する。
【００２６】
このように営巣防止具１を一方の腕金１００に装着すると、２本の腕金１００間の隙間１０３にカラス等が巣を作ろうとしたとき、回転部２０が障害物となって営巣が阻害される。
また、仮にカラス等が枝等の営巣材料を運んで回転部２０上に配置しようとした場合であっても、突起部１６が形成されているので、枝等を配置しづらい。
【００２７】
さらに、回転部２０は回転するので、カラス等に嫌悪感を与えるとともに、枝等を固定しようとしても、回転部２０が回転するので、枝等が落下し、営巣が困難となる。
把持部６を有しているので、ホットスティックによる間接活線作業で、腕金１００への営巣防止具１の装着を行うことができる。
【００２８】
本実施形態によると、営巣が減少することで配電線事故の未然防止につながる。
さらに、営巣が減少することで営巣撤去工事の工事費削減につながる。
また、営巣撤去による卵・雛の捕獲が減少することで野鳥の保護につながる。
【００２９】
（使用形態２）
図６は、営巣防止具１の使用状態の他の例を示した図である。図示するように腕金１００の下に、例えば開閉器１０４が配置されている場合がある。カラス等は開閉器１０４の電線１０５が出ている部分の上方の領域１０６に営巣することが多い。
本実施形態の腕部３は、２つの筒部材３ａ、３ｂの重なりの長さを調整することで、腕部３全体としての長さが調節可能となっている。そこで、領域１０６に回転部２０が来るように腕部３の長さＬを調節する。
【００３０】
使用形態２によると、使用形態１の効果に加え、営巣防止に効果的な、開閉器１０４の電線１０５が出ている部分の上方の領域１０６に回転部２０を配置することができる。
【符号の説明】
【００３１】
１    営巣防止具
２    装着部
３    腕部
３ａ，３ｂ    筒部材
４    上板部
５    第２側板部
５ａ    第１側板部
５ｂ    第２側板部
６    把持部
７    貫通孔
８    棒部材
８ａ，８ｂ    ねじ部
９    ナット
１０    固定板
１１    折曲部
１２    貫通孔
１３    ナット
１４    切欠き
１５    円環部
１６    突起部
１７    腕部挿通部
１８    連結部
２０    回転部
１００    腕金
１０１    電柱
１０３    隙間
１０４    開閉器
１０５    電線
１０６    領域
【図１】
2018085939.tif 000003
【図２】
2018085939.tif 000004
【図３】
2018085939.tif 000005
【図４】
2018085939.tif 000006
【図５】
2018085939.tif 000007
【図６】
2018085939.tif 000008